(57)【要約】【課題】不要になった余剰駒部材を用いて、例えば、人などの被装着体に係止することができ、しかも、装飾具としても装飾性、視認性などに優れ、多目的に使用することが可能な装飾具を、簡単で自由なデザインで組み合わせて作製することが可能な装飾具を提供する。【解決手段】複数の駒部材を連結することによって構成されるバンドの余剰駒部材を用いた装飾具であって、余剰駒部材の一方の連結部に着脱自在に連結される連結部を備えた被装着体に係止するための係止部材と、余剰駒部材の他方の連結部に着脱自在に連結される連結部を備えた装飾部材とを備えた。【選択図】図１
2009225833.tif 000002
【特許請求の範囲】
【請求項１】
複数の駒部材を連結することによって構成されるバンドの余剰駒部材を用いた装飾具であって、
前記余剰駒部材の一方の連結部に着脱自在に連結される連結部を備えた被装着体に係止するための係止部材と、
前記余剰駒部材の他方の連結部に着脱自在に連結される連結部を備えた装飾部材と、
を備えたことを特徴とする装飾具。
【請求項２】
前記装飾部材に、第２の連結部を備え、
前記装飾部材の第２の連結部に、他の余剰駒部材または装飾部材が着脱自在に連結されていることを特徴とする請求項１に記載の装飾具。
【請求項３】
前記装飾部材の第２の連結部に、複数の他の余剰駒部材または装飾部材が組み合わせて連結されていることを特徴とする請求項２に記載の装飾具。
【請求項４】
前記余剰駒部材の連結部と、装飾部材または係止部材が、着脱自在な連結ピンを介して相互に着脱自在に連結されていることを特徴とする請求項１から３のいずれかに記載の装飾具。
【請求項５】
前記駒部材が、バンドの幅方向に位置する中駒部材と、
前記中駒部材の幅方向外側に、回動自在に連結された一対の外側駒部材とを備え、
前記中駒部材が、バンドの長手方向に突設し、この中駒部材の突設部が、連結部を構成し、
前記一対の外側駒部材が、バンドの長手方向に突設し、この一対の外側駒部材の突設部が、連結部を構成することを特徴とする請求項１から４のいずれかに記載の装飾具。
【請求項６】
前記中駒部材の突設部から構成される連結部が、装飾部材の連結部に着脱自在に連結され、
前記一対の外側駒部材の突設部から構成される連結部が、係止部材の連結部に着脱自在に連結されていることを特徴とする請求項５に記載の装飾具。
【請求項７】
前記中駒部材の突設部から構成される連結部が、係止部材の連結部に着脱自在に連結され、
前記一対の外側駒部材の突設部から構成される連結部が、装飾部材の連結部に着脱自在に連結されていることを特徴とする請求項６に記載の装飾具。
【請求項８】
前記装飾部材に、係止具を備えることを特徴とする請求項１から７のいずれかに記載の装飾具。
【請求項９】
請求項１から８のいずれかに記載の装飾具に用いられる装飾部材であって、
余剰駒部材の一方の連結部に着脱自在に連結される連結部を備えたことを特徴とする装飾部材。
【請求項１０】
前記装飾部材に、第２の連結部を備え、
前記装飾部材の第２の連結部に、他の余剰駒部材または装飾部材着脱自在に連結されるように構成されていることを特徴とする請求項９に記載の装飾部材。
【請求項１１】
請求項１から８のいずれかに記載の装飾具に用いられる係止部材であって、
余剰駒部材の他方の連結部に着脱自在に連結される連結部を備えたことを特徴とする被
装着体に係止するための係止部材。
【請求項１２】
請求項１から８のいずれかに記載の装飾具に用いられる装飾部材と、
請求項１から８のいずれかに記載の装飾具に用いられる係止部材と、
を備えたことを特徴とするバンドの余剰駒部材を用いた装飾具用の変換キット。
【発明の詳細な説明】
【技術分野】
【０００１】
本発明は、例えば、腕時計のバンドなどの複数の駒部材を連結することによって構成されるバンドの余剰駒部材を用いた装飾具に関する。
【背景技術】
【０００２】
従来、例えば、腕時計の時計バンドでは、複数の駒部材同士を長手方向に連結することによって、装着者の腕の形状に沿うように、自由に屈曲できるような構成となっている（実開昭５０−５００７１号公報、実開昭５１−１２１３６８号公報参照）。
【０００３】
このような時計バンド１００の連結構造としては、例えば、図８に示したように、複数の連結される駒部材単位を構成する駒部材１０２が、バンド１００の幅方向に位置する中駒部材１０４と、この中駒部材１０４の幅方向外側に位置する一対の外側駒部材１０６とを備えている。
【０００４】
この中駒部材１０４と、一対の外側駒部材１０６とは、図示しない着脱不能な連結ピンを介して、相互に回動可能で着脱不能なように連結されている。
そして、中駒部材１０４は、バンド１００の長手方向に突設しており、この中駒部材１０４の突設部１０８に、連結貫通孔１１０が形成されている。この中駒部材１０４の突設部１０８が連結部を構成している。
【０００５】
一方、一対の外側駒部材１０６がそれぞれ、バンド１００の長手方向に突設し、この一対の外側駒部材１０６の突設部１１２に、連結貫通孔１１４が形成されている。この一対の外側駒部材１０６の突設部１１２が連結部を構成している。
このように構成される複数の駒部材１０２同士を長手方向に連結するには、一方の駒部材１０２の一対の外側駒部材１０６の突設部１１２の間に、他方の駒部材１０２の中駒部材１０４の突設部１０８を位置させる。
【０００６】
そして、一方の駒部材１０２の一対の外側駒部材１０６の突設部１１２に形成された連結貫通孔１１４と、他方の駒部材１０２の中駒部材１０４の突設部１０８に形成した連結貫通孔１１０とを合致させて状態で、ピンセットなどの工具１１６を用いて、連結部材として、例えば、いわゆる「ヘアーピン」などの拡径方向に付勢されたアジャストピン１１８を、これらの連結貫通孔１１０、１１４に着脱自在に挿入することによって、駒部材１０２同士を長手方向に着脱自在に連結している。
【特許文献１】実開昭５０−５００７１号公報
【特許文献２】実開昭５１−１２１３６８号公報
【発明の開示】
【発明が解決しようとする課題】
【０００７】
ところで、被装着部位である、人の腕などの寸法は、個人差があるため、例えば、腕時計などでは、バンド１００は、大きな腕などの被装着部位にも装着できるように、ある程度長めに、複数の駒部材１０２同士を長手方向に連結して構成されている。
そのため、例えば、腕時計などでは、販売店または購入者が、装着者の腕の寸法に合わせて、ピンセットなどの工具１１６を用いて、アジャストピン１１８を、これらの連結貫通孔１１０、１１４から抜き取り、不要になった余剰駒部材１０２を取り外すようになっている。
【０００８】
この不要になり、取り外された駒部材１０２は、販売店などでは、交換部品として、ビ
ニール小袋などに入れて、購入者に製品とともに手渡し、購入者が保管するのが通常であり、個人で不要な余剰の駒部材１０２を取り外した場合にも、自分で保管するのが通常である。
従って、通常は、取り外された駒部材１０２は使用せず、保管場所が不明になったり、廃棄処分されてしまうことが多かった。
【０００９】
ところで、このような駒部材１０２は、例えば、高級腕時計などでは、金メッキなどを施したり、貴石などを施したりして、高価なものもあり、廃棄処分したり、不使用では、資源、金銭の無駄遣いとなることにもなる。
しかしながら、これまでは、このような不要になった余剰駒部材１０２は、何ら使用されていないのが現状である。
【００１０】
本発明は、このような現状に鑑み、不要になった余剰駒部材１０２を用いて、例えば、人などの被装着体に係止することができ、しかも、装飾具としても装飾性、視認性などに優れ、多目的に使用することが可能な装飾具を、簡単で自由なデザインで組み合わせて作製することが可能な装飾具を提供することを目的とする。
また、本発明は、このための装飾具に用いられる装飾部材、係止部材、ならびに、装飾部材と係止部材を備えたバンドの余剰駒部材を用いた装飾具用の変換キットを提供することを目的とする。
【課題を解決するための手段】
【００１１】
本発明は、前述したような従来技術における課題及び目的を達成するために発明されたものであって、本発明の装飾具は、
複数の駒部材を連結することによって構成されるバンドの余剰駒部材を用いた装飾具であって、
前記余剰駒部材の一方の連結部に着脱自在に連結される連結部を備えた被装着体に係止するための係止部材と、
前記余剰駒部材の他方の連結部に着脱自在に連結される連結部を備えた装飾部材と、
を備えたことを特徴とする。
【００１２】
このように構成することによって、不要になった余剰駒部材の一方の連結部に、被装着体に係止するための係止部材の連結部を着脱自在に連結し、余剰駒部材の他方の連結部に、装飾部材の連結部を着脱自在に連結するだけで、例えば、人の被装着部位に係止でき、しかも、ネームプレート、貴石などの装飾性、視認性などに優れ、多目的に使用することが可能な装飾部材を備えた装飾具を、簡単で自由なデザインで組み合わせて作製することが可能である。
【００１３】
従って、不要になった余剰駒部材を再利用することができ、例えば、高級腕時計などでは、金メッキなどを施したり、貴石などを施したりした、高価な駒部材を用いることができ、高級感、装飾性に優れ、駒部材の種類によっては、多様なデザインの装飾具を提供でき、しかも、このような高価な駒部材であっても、廃棄処分したり、不使用とすることがなく、資源、金銭の無駄遣いすることなく有効に利用することができる。
この場合、係止部材、装飾部材としては、特に限定されるものではなく、例えば、ブレスレット、ネックレス、キーホルダー、ネームプレートなど様々な公知のものに適用できる。
【００１４】
例えば、実開昭４８−６３０６９号公報に開示されるような、携帯時計のストラップなどの係止部材として、実開昭５５−３７４３号公報に開示されるような、時計用ホルダーとして、実開昭５６−３７０８５号公報、登録実用新案第３０６３０６４号公報に開示されるような、クリップ付きの小型時計として、実公平５−２７０２６号公報に開示される
ような、壁掛け時計として、登録実用新案第３０８３４８９号公報に開示されるような、衣服取り付け具を備えたファッション時計として、特許３６１６２７２号公報に開示されるような、身体、衣服に取り付け方向変換可能な時計として適用可能である。
【００１５】
さらに、本発明の装飾具が係止部材によって係止される被装着体としては、特に限定されるものではなく、例えば、ネックレスとして、人の首、ブレスレットなどとして、手首、指輪として、指、イヤリングなどとして、耳、ブローチなどの装飾具として、衣服など、カバン、壁など様々な被装着体に適用することができる。
【００１６】
また、本発明の装飾具は、
前記装飾部材に、第２の連結部を備え、
前記装飾部材の第２の連結部に、他の余剰駒部材または装飾部材が着脱自在に連結されていることを特徴とする。
このように構成することによって、装飾部材の第２の連結部に、他の余剰駒部材または装飾部材を着脱自在に連結することができるので、装飾性、視認性などにさらに優れ、多目的に使用することが可能な装飾具を、自由なデザインで組み合わせて作製することが可能である。
【００１７】
また、本発明の装飾具は、前記装飾部材の第２の連結部に、複数の他の余剰駒部材または装飾部材が組み合わせて連結されていることを特徴とする。
このように構成することによって、装飾部材の第２の連結部に、複数の他の余剰駒部材または装飾部材を、自由なデザインで組み合わせて連結することができるので、装飾性、視認性などにさらに優れ、多目的に使用することが可能な装飾具を、自由なデザインで組み合わせて作製することが可能である。
【００１８】
また、本発明の装飾具は、前記余剰駒部材の連結部と、装飾部材または係止部材が、着脱自在な連結ピンを介して相互に着脱自在に連結されていることを特徴とする。
このように、余剰駒部材の連結部と、装飾部材または係止部材が、着脱自在な連結ピンを介して相互に着脱自在に連結されていれば、自由に連結状態を取り外したり、組み合わせて連結することができるので、装飾性、視認性などにさらに優れ、多目的に使用することが可能な装飾具を、自由なデザインで組み合わせて作製することが可能である。
【００１９】
また、本発明の装飾具は、
前記駒部材が、バンドの幅方向に位置する中駒部材と、
前記中駒部材の幅方向外側に、回動自在に連結された一対の外側駒部材とを備え、
前記中駒部材が、バンドの長手方向に突設し、この中駒部材の突設部が、連結部を構成し、
前記一対の外側駒部材が、バンドの長手方向に突設し、この一対の外側駒部材の突設部が、連結部を構成することを特徴とする。
【００２０】
このように構成することによって、中駒部材の突設部から構成される連結部と、一対の外側駒部材の突設部から構成される連結部を用いて、係止部材、装飾部材、他の余剰駒部材と自由に連結でき、装飾性、視認性などに優れ、多目的に使用することが可能な装飾具を、自由なデザインで組み合わせて作製することが可能である。
【００２１】
また、本発明の装飾具は、
前記中駒部材の突設部から構成される連結部が、装飾部材の連結部に着脱自在に連結され、
前記一対の外側駒部材の突設部から構成される連結部が、係止部材の連結部に着脱自在に連結されていることを特徴とする。
このように構成することによって、中駒部材の突設部から構成される連結部に、装飾部材が連結され、一対の外側駒部材の突設部から構成される連結部に、係止部材を連結することができる、
【００２２】
また、本発明の装飾具は、
前記中駒部材の突設部から構成される連結部が、係止部材の連結部に着脱自在に連結され、
前記一対の外側駒部材の突設部から構成される連結部が、装飾部材の連結部に着脱自在に連結されていることを特徴とする。
このように構成することによって、中駒部材の突設部から構成される連結部に、係止部材が連結され、一対の外側駒部材の突設部から構成される連結部に、装飾部材を連結することができる、
【００２３】
また、本発明の装飾具は、前記装飾部材に、係止具を備えることを特徴とする。
このような装飾具によれば、係止部材だけでなく、装飾部材の係止具によっても、被装着部位に係止することができ、極めて便利である。
【００２４】
また、本発明の装飾部材は、
前述のいずれかに記載の装飾具に用いられる装飾部材であって、
余剰駒部材の一方の連結部に着脱自在に連結される連結部を備えたことを特徴とする。
このような装飾部材を、デザインを変えて多数用意しておくことによって、余剰駒部材の一方の連結部に、自由に連結状態を取り外したり、組み合わせて連結することができるので、装飾性、視認性などにさらに優れ、多目的に使用することが可能な装飾具を、自由なデザインで組み合わせて作製することが可能である。
【００２５】
また、本発明の装飾部材は、
前記装飾部材に、第２の連結部を備え、
前記装飾部材の第２の連結部に、他の余剰駒部材または装飾部材着脱自在に連結されるように構成されていることを特徴とする。
このように構成することによって、装飾部材の第２の連結部に、他の余剰駒部材または装飾部材を着脱自在に連結することができるので、装飾性、視認性などにさらに優れ、多目的に使用することが可能な装飾具を、自由なデザインで組み合わせて作製することが可能である。
【００２６】
また、本発明の係止部材は、
前述のいずれかに記載の装飾具に用いられる係止部材であって、
余剰駒部材の他方の連結部に着脱自在に連結される連結部を備えたことを特徴とする。
このような係止部材を、デザインを変えて多数用意しておくことによって、余剰駒部材の他方の連結部に、自由に連結状態を取り外したり、組み合わせて連結することができるので、装飾性、視認性などにさらに優れ、様々な装着部位に装着でき、多目的に使用することが可能な装飾具を、自由なデザインで組み合わせて作製することが可能である。
【００２７】
また、本発明のバンドの余剰駒部材を用いた装飾具用の変換キットは、
前述のいずれかに記載の装飾具に用いられる装飾部材と、
前述のいずれかに記載の装飾具に用いられる係止部材と、
を備えたことを特徴とする。
【００２８】
このような装飾部材、係止部材を、デザインを変えて多数用意しておくことによって、余剰駒部材の連結部に、自由に連結状態を取り外したり、組み合わせて連結することができるので、装飾性、視認性などにさらに優れ、様々な装着部位に装着でき、多目的に使用
することが可能な装飾具を、自由なデザインで組み合わせて作製することが可能である。
【発明の効果】
【００２９】
本発明によれば、不要になった余剰駒部材の一方の連結部に、被装着体に係止するための係止部材の連結部を着脱自在に連結し、余剰駒部材の他方の連結部に、装飾部材の連結部を着脱自在に連結するだけで、例えば、人の被装着部位に係止でき、しかも、ネームプレート、貴石などの装飾性、視認性などに優れ、多目的に使用することが可能な装飾部材を備えた装飾具を、簡単で自由なデザインで組み合わせて作製することが可能である。
【００３０】
従って、不要になった余剰駒部材を再利用することができ、例えば、高級腕時計などでは、金メッキなどを施したり、貴石などを施したりした、高価な駒部材を用いることができ、高級感、装飾性に優れ、駒部材の種類によっては、多様なデザインの装飾具を提供でき、しかも、このような高価な駒部材であっても、廃棄処分したり、不使用とすることがなく、資源、金銭の無駄遣いすることなく有効に利用することができる。
【発明を実施するための最良の形態】
【００３１】
以下、本発明の実施の形態（実施例）を図面に基づいてより詳細に説明する。
（実施例１）
【００３２】
図１は、本発明の装飾具の分解斜視図、図２は、図１の装飾具を組み立てた状態の斜視図である。
図１〜図２において、符号１０は、全体で本発明の装飾具を示している。
図１、図２に示したように、本発明の装飾具１０は、複数の駒部材同士を長手方向に連結して構成したバンドにおいて、不要となって取り外した交換部品としての余剰駒部材１２を備えている。
【００３３】
この余剰駒部材１２は、余剰駒部材１２の幅方向に位置する中駒部材１４と、この中駒部材１４の幅方向外側に位置する一対の外側駒部材１６とを備えている。
この中駒部材１４と、一対の外側駒部材１６とは、図示しない着脱不能な連結ピンを介して、相互に回動可能で着脱不能なように連結されている。
【００３４】
そして、中駒部材１４は、余剰駒部材１２の長手方向に突設しており、この中駒部材１４の突設部１８に、連結貫通孔２０が形成されている。この中駒部材１４の突設部１８が連結部を構成している。
一方、一対の外側駒部材１６がそれぞれ、余剰駒部材１２の長手方向に突設し、この一対の外側駒部材１６の突設部２２に、連結貫通孔２４が形成されている。この一対の外側駒部材１６の突設部２２が連結部を構成している。
【００３５】
一方、本発明の装飾具１０は、被装着体である、例えば、装着者の首に係止するための、係止部材２６を備えており、係止部材２６として、図１、図２の実施例では、複数のチェーン部材２８を連結して構成されるネックレス３０を備えている。このネックレス３０には、一対の外側駒部材１６の突設部２２の間の空隙２２ａに相補的に嵌合する連結部３２を備えており、この連結部３２には、連結貫通孔３４が形成されている。
【００３６】
これにより、図１に示したように、一対の外側駒部材１６の突設部２２の間の空隙２２ａに、係止部材２６の連結部３２を位置させ、一対の外側駒部材１６の突設部２２に形成された連結貫通孔２４と、係止部材２６であるネックレス３０の連結部３２に形成した連結貫通孔３４を合致させる。
【００３７】
この状態で、図示しないピンセットなどの工具を用いて、連結部材として、例えば、い
わゆる「ヘアーピン」などの拡径方向に付勢されたアジャストピン３６を、これらの連結貫通孔２４、３４に着脱自在に挿入することによって、図２に示したように、余剰駒部材１２と係止部材２６であるネックレス３０を、着脱自在にかつ相互に回動自在に連結することができるように構成されている。
【００３８】
また、本発明の装飾具１０は、装飾部材３８を備えており、この装飾部材３８には、余剰駒部材１２の中駒部材１４の突設部１８に対して、相補的な形状の略コ字形状の連結部４０が形成されている。すなわち、この連結部４０は、一対の突設部４２を備えており、これらの突設部４２に、連結貫通孔４４が形成されている。
【００３９】
これにより、図１に示したように、装飾部材３８の連結部４０の突設部４２の間の空隙４２ａに、余剰駒部材１２の中駒部材１４の突設部１８を位置させ、装飾部材３８の連結部４０の突設部４２に形成された連結貫通孔４４と、余剰駒部材１２の中駒部材１４の突設部１８に形成した連結貫通孔２０を合致させる。
【００４０】
この状態で、図示しないピンセットなどの工具を用いて、連結部材として、例えば、いわゆる「ヘアーピン」などの拡径方向に付勢されたアジャストピン３６を、これらの連結貫通孔２０、４４に着脱自在に挿入することによって、図２に示したように、余剰駒部材１２と装飾部材３８を、着脱自在にかつ相互に回動自在に連結することができるように構成されている。
【００４１】
また、装飾部材３８の装飾部材本体４６は、この実施例では、「ＡＢＣ」などのロゴマークを構成しており、その下方の端部４８には、例えば、ダイヤなどの宝石、貴石などの輝石、装飾石などからなる宝飾５０が設けられている。これらにより、装飾性、美観、視認性が向上するようになっている。
【００４２】
このように構成される本発明の装飾具１０によれば、不要になった余剰駒部材１２の一方の連結部である一対の外側駒部材１６の突設部２２からなる連結部に、被装着体に係止するための係止部材２６であるネックレス３０の連結部３２を着脱自在に連結することができる。
【００４３】
また、余剰駒部材１２の他方の連結部である中駒部材１４の突設部１８に、装飾部材３８の連結部４０を着脱自在に連結することができる。
これにより、例えば、人の被装着部位に係止でき、しかも、ネームプレート、貴石などの装飾性、視認性などに優れ、多目的に使用することが可能な装飾部材３８を備えた装飾具１０を、簡単で自由なデザインで組み合わせて作製することが可能である。
【００４４】
従って、不要になった余剰駒部材１２を再利用することができ、例えば、高級腕時計などでは、金メッキなどを施したり、貴石などを施したりした、高価な余剰駒部材１２を用いることができ、高級感、装飾性に優れ、余剰駒部材１２の種類によっては、多様なデザインの装飾具１を提供でき、しかも、このような高価な余剰駒部材１２であっても、廃棄処分したり、不使用とすることがなく、資源、金銭の無駄遣いすることなく有効に利用することができる。
【００４５】
なお、この実施例では、余剰駒部材１２の一方の連結部である一対の外側駒部材１６の突設部２２からなる連結部に、係止部材２６を連結し、余剰駒部材１２の他方の連結部である中駒部材１４の突設部１８に、装飾部材３８を連結するようにしたが、その逆の構成、すなわち、下記の実施例２のように、余剰駒部材１２の一方の連結部である一対の外側駒部材１６の突設部２２からなる連結部に、装飾部材３８を連結し、余剰駒部材１２の他方の連結部である中駒部材１４の突設部１８に、係止部材２６を連結するように構成する
ことも可能である。
（実施例２）
【００４６】
図３は、本発明の装飾具の別の実施例の組み立てた状態の平面図である。
この実施例の装飾具１０は、図１に示したと基本的には同様な構成であり、同一の構成部材には、同一の参照番号を付して、その詳細な説明を省略する。
【００４７】
この実施例の装飾具１０は、図３に示したように、余剰駒部材１２の連結部である中駒部材１４の突設部１８に、係止部材２６を連結するように構成されており、余剰駒部材１２の連結部である一対の外側駒部材１６の突設部２２からなる連結部に、装飾部材３８を連結している。
【００４８】
すなわち、この実施例では、係止部材２６には、余剰駒部材１２の中駒部材１４の突設部１８に対して、相補的な形状の略コ字形状の連結部５２が形成されている。この連結部５２は、一対の突設部５４を備えており、これらの突設部５４に、連結貫通孔５６が形成されている。
【００４９】
これにより、図３に示したように、係止部材２６の連結部５２の突設部５４の間の空隙５４ａに、余剰駒部材１２の中駒部材１４の突設部１８を位置させ、装飾部材３８の連結部５２の突設部５４に形成された連結貫通孔５６と、余剰駒部材１２の中駒部材１４の突設部１８に形成した連結貫通孔２０を合致させる。
【００５０】
この状態で、図示しないピンセットなどの工具を用いて、連結部材として、例えば、いわゆる「ヘアーピン」などの拡径方向に付勢されたアジャストピン３６を、これらの連結貫通孔２０、５６に着脱自在に挿入することによって、図３に示したように、余剰駒部材１２と係止部材２６を、着脱自在にかつ相互に回動自在に連結することができるように構成されている。
【００５１】
また、この実施例では、係止部材２６には、図３に示したように、いわゆる「ナス環」から構成される係止具５８が設けられている。すなわち、係止具５８には、留め環６０を備えており、この留め環６０に対して、ピボット軸６２を中心に回転して、閉止方向に付勢するバネ部材６４の付勢力に抗して、開閉可能な留め部材６６を備えている。
【００５２】
そして、この留め部材６６の操作突起６８を、指などで押すことによって、図３（Ａ）の係止状態から、図３（Ｂ）の開放状態に操作することができるようになっており、これにより、例えば，ズボンなどのベルト止めなどの衣服、壁のフックなどの被装着部位に、本発明の装飾具１０を着脱自在に係止することができるように構成されている。
【００５３】
また、係止具５８と係止部材２６の連結部５２とは、回転軸５８ａを介して、相互に回転可能に連結されており、これにより係止操作が容易に構成されている。
【００５４】
一方、装飾部材３８は、一対の外側駒部材１６の突設部２２の間の空隙２２ａに相補的に嵌合する連結部７０を備えており、この連結部７０には、連結貫通孔７２が形成されている。
これにより、図３に示したように、一対の外側駒部材１６の突設部２２の間の空隙２２ａに、装飾部材３８の連結部７０を位置させ、一対の外側駒部材１６の突設部２２に形成された連結貫通孔２４と、装飾部材３８であるネームプレート７４の連結部７０に形成した連結貫通孔７２を合致させる。
【００５５】
この状態で、図示しないピンセットなどの工具を用いて、連結部材として、例えば、い
わゆる「ヘアーピン」などの拡径方向に付勢されたアジャストピン３６を、これらの連結貫通孔２４、７２に着脱自在に挿入することによって、図２に示したように、余剰駒部材１２と装飾部材３８であるネームプレート７４を、着脱自在にかつ相互に回動自在に連結することができるように構成されている。
（実施例３）
【００５６】
図４は、本発明の装飾具の別の実施例の組み立てた状態の平面図である。
この実施例の装飾具１０は、図３に示したと基本的には同様な構成であり、同一の構成部材には、同一の参照番号を付して、その詳細な説明を省略する。
【００５７】
この実施例の装飾具１０は、図４に示したように、装飾部材３８であるネームプレート７４の係止部材２６側と反対側の端部に、さらに、装飾部材３８の第２の連結部を構成する連結部７６を備えており、この連結部７６に連結貫通孔７８が形成されている。
【００５８】
この装飾部材３８の第２の連結部を構成する連結部７６は、他の余剰駒部材１２の一対の外側駒部材１６の突設部２２からなる連結部と相補的な形状を備えており、これに着脱自在に連結することができるように構成されている。
【００５９】
すなわち、図４に示したように、他の余剰駒部材１２の一対の外側駒部材１６の突設部２２の間の空隙２２ａに、装飾部材３８の連結部７６を位置させ、一対の外側駒部材１６の突設部２２に形成された連結貫通孔２４と、装飾部材３８であるネームプレート７４の連結部７６に形成した連結貫通孔７８を合致させる。
【００６０】
この状態で、図示しないピンセットなどの工具を用いて、連結部材として、例えば、いわゆる「ヘアーピン」などの拡径方向に付勢されたアジャストピン３６を、これらの連結貫通孔２４、７８に着脱自在に挿入することによって、図４に示したように、装飾部材３８であるネームプレート７４の係止部材２６側と反対側の端部に、さらに他の余剰駒部材１２を、着脱自在にかつ相互に回動自在に連結することができるように構成されている。
【００６１】
なお、この実施例では、図４に示したように、２つの他の余剰駒部材１２を、装飾部材３８の第２の連結部を構成する連結部７６に連結した実施例を示しているが、この他の余剰駒部材１２の数は何ら限定されるものではなく、１個でも、３個以上連結することも、異なる種類の余剰駒部材を連結することも、デザインに応じて変更することができる。
【００６２】
また、図示しないが、装飾部材３８の第２の連結部を構成する連結部７６に、別の装飾部材３８であるネームプレート７４を連結することも、また、別の装飾部材３８を連結することも可能である。
【００６３】
このように構成することによって、装飾部材３８の第２の連結部である連結部７６に、他の余剰駒部材１２または装飾部材３８を着脱自在に連結することができるので、装飾性、視認性などにさらに優れ、多目的に使用することが可能な装飾具を、自由なデザインで組み合わせて作製することが可能である。
【００６４】
また、この場合、下記の実施例４に示したように、装飾部材３８の第２の連結部である連結部７６に、複数の他の余剰駒部材１２または装飾部材３８を自由に組み合わせて連結することもできる。
【００６５】
このように構成することによって、装飾部材３８の第２の連結部である連結部７６に、複数の他の余剰駒部材１２または装飾部材３８を、自由なデザインで組み合わせて連結することができるので、装飾性、視認性などにさらに優れ、多目的に使用することが可能な
装飾具を、自由なデザインで組み合わせて作製することが可能である。
（実施例４）
【００６６】
図５は、本発明の装飾具の別の実施例の組み立てた状態の平面図である。
この実施例の装飾具１０は、図４に示したと基本的には同様な構成であり、同一の構成部材には、同一の参照番号を付して、その詳細な説明を省略する。
【００６７】
この実施例の装飾具１０は、装飾部材３８であるネームプレート７４の係止部材２６側と反対側の端部に、さらに、装飾部材３８の第２の連結部を構成する連結部８０を備えている。
【００６８】
この連結部８０は、他の余剰駒部材１２の中駒部材１４の突設部１８に対して、相補的な形状の略コ字形状の連結部として形成されており、一対の突設部８２を備えており、これらの突設部８２に、連結貫通孔８４が形成されている。これにより、他の余剰駒部材１２の中駒部材１４の突設部１８に、着脱自在に連結することができるように構成されている。
【００６９】
これにより、図５に示したように、装飾部材３８の連結部８０の突設部８２の間の空隙８２ａに、他の余剰駒部材１２の中駒部材１４の突設部１８を位置させ、装飾部材３８の連結部８０の突設部８２に形成された連結貫通孔８４と、余剰駒部材１２の中駒部材１４の突設部１８に形成した連結貫通孔２０を合致させる。
【００７０】
この状態で、図示しないピンセットなどの工具を用いて、連結部材として、例えば、いわゆる「ヘアーピン」などの拡径方向に付勢されたアジャストピン３６を、これらの連結貫通孔２０、８４に着脱自在に挿入することによって、図５に示したように、他の余剰駒部材１２と装飾部材３８を、着脱自在にかつ相互に回動自在に連結することができるように構成されている。
【００７１】
さらに、この実施例では、他の余剰駒部材１２の一対の外側駒部材１６の突設部２２からなる連結部に、図４に示した実施例の装飾部材３８であるネームプレート７４が着脱自在に連結されており、これにより、所望であれば、図示しないが、このネームプレート７４に、さらに、装飾部材３８、他の余剰駒部材１２、係止部材２６を連結することができる。
【００７２】
なお、図６に示したように、他の余剰駒部材１２の一対の外側駒部材１６の突設部２２からなる連結部に、図４に示した実施例の装飾部材３８であるネームプレート７４の代わりに、図５の実施例の装飾部材３８であるネームプレート７４を連結することもでき、これにより、所望であれば、図示しないが、このネームプレート７４に、さらに、装飾部材３８、他の余剰駒部材１２を連結することができる。
【００７３】
このように構成することによって、装飾部材３８の第２の連結部である連結部７６に、複数の他の余剰駒部材１２または装飾部材３８を、自由なデザインで組み合わせて連結することができるので、装飾性、視認性などにさらに優れ、多目的に使用することが可能な装飾具を、自由なデザインで組み合わせて作製することが可能である。
（実施例５）
【００７４】
図７は、本発明の装飾具の別の実施例の組み立てた状態の側面図である。
この実施例の装飾具１０は、図１に示したと基本的には同様な構成であり、同一の構成部材には、同一の参照番号を付して、その詳細な説明を省略する。
【００７５】
この実施例の装飾具１０は、係止部材２６として、この実施例では、クリップ部材８６を備えている。
このクリップ部材８６は、公知のものであるので、その詳細な説明は省略するが、バネ部材８５に抗して、図７の矢印で示したように、クリップを開閉できるようになっており、これにより、例えば、ポケット、ズボンなどのベルト止めなどの衣服、壁のフックなどの被装着部位に、本発明の装飾具１０を着脱自在に係止することができるように構成されている。
【００７６】
また、このクリップ部材８６の基端部の連結部８８は、余剰駒部材１２の中駒部材１４の突設部１８からなる連結部に対して、アジャストピン３６によって、着脱自在にかつ回動可能に連結されている。
【００７７】
また、装飾部材３８として、略円柱形状の装飾棒部材９０が用いられており、この装飾棒部材９０の連結部９２が、余剰駒部材１２の一対の外側駒部材１６の突設部２２からなる連結部に、アジャストピン３６によって、着脱自在にかつ回動可能に連結されている。
なお、この装飾棒部材９０の表面に、例えば、ダイヤなどの宝石、貴石などの輝石、装飾石などからなる宝飾５０が設けられている。これらにより、装飾性、美観、視認性が向上するようになっている。
【００７８】
さらに、この装飾棒部材９０の他方の端部にも、リング形式の係止具９４が設けられている。この係止具９４は、図7の矢印で示したように、外装リング９６に挿着した内装開
閉リング９１が、操作突起９３を指で操作することによって、バネ部材９８に抗して開閉できるようになっており、これにより、例えば、ポケット、ズボンなどのベルト止めなどの衣服、壁のフックなどの被装着部位に、本発明の装飾具１０を着脱自在に係止することができるように構成されている。
【００７９】
従って、この実施例の装飾具１０によれば、係止部材２６だけでなく、装飾部材３８の係止具９４によっても、被装着部位に係止することができ、極めて便利である。
以上、本発明の好ましい実施の態様を説明してきたが、本発明はこれに限定されることはなく、例えば、上記実施例では、腕時計のベルトについて説明したが、ブレスレット、ズボンのベルト、カバンのベルトなど、複数の駒部材を連結したその他のバンドの余剰駒部材についても適用できる。
【００８０】
また、上記実施例では、図４の実施例において、装飾部材３８の第２の連結部である連結部７６に、複数の他の余剰駒部材１２または装飾部材３８を自由に組み合わせて連結するようにしたが、複数の係止部材２６をこれに組み合わせて使用することもでき、また、本発明の装飾具を係止部材同士を係止することによって、複数組の本発明の装飾具からなる新たな装飾具を提供できるなど本発明の目的を逸脱しない範囲で種々の変更が可能である。
【図面の簡単な説明】
【００８１】
【図１】図１は、本発明の装飾具の分解斜視図である。
【図２】図２は、図１の装飾具を組み立てた状態の斜視図である。
【図３】図３は、本発明の装飾具の別の実施例の組み立てた状態の平面図である。
【図４】図４は、本発明の装飾具の別の実施例の組み立てた状態の平面図である。
【図５】図５は、本発明の装飾具の別の実施例の組み立てた状態の平面図である。
【図６】図６は、本発明の装飾具の別の実施例の組み立てた状態の平面図である。
【図７】図７は、本発明の装飾具の別の実施例の組み立てた状態の側面図である。
【図８】図８は、従来のバンドの連結状態を説明する斜視図である。
【符号の説明】
【００８２】
１０   装飾具
１２   余剰駒部材
１４   中駒部材
１６   外側駒部材
１８   突設部
２０   連結貫通孔
２２   突設部
２２ａ 空隙
２４   連結貫通孔
２６   係止部材
２８   チェーン部材
３０   ネックレス
３２   連結部
３４   連結貫通孔
３６   アジャストピン
３８   装飾部材
４０   連結部
４２   突設部
４２ａ 空隙
４４   連結貫通孔
４６   装飾部材本体
４８   端部
５０   宝飾
５２   連結部
５４   突設部
５４ａ 空隙
５６   連結貫通孔
５８   係止具
５８ａ 回転軸
６０   留め環
６２   ピボット軸
６４   バネ部材
６６   留め部材
６８   操作突起
７０   連結部
７２   連結貫通孔
７４   ネームプレート
７６   連結部
７８   連結貫通孔
８０   連結部
８２   突設部
８２ａ 空隙
８４   連結貫通孔
８５   バネ部材
８６   クリップ部材
８８   連結部
９０   装飾棒部材
９２   連結部
９４   係止具
９６   外装リング
９８   バネ部材
１００ バンド
１０２ 駒部材
１０４ 中駒部材
１０６ 外側駒部材
１０８ 突設部
１１０ 連結貫通孔
１１２ 突設部
１１４ 連結貫通孔
１１６ 工具
１１８ アジャストピン
【図１】
2009225833.tif 000003
【図２】
2009225833.tif 000004
【図３】
2009225833.tif 000005
【図４】
2009225833.tif 000006
【図５】
2009225833.tif 000007
【図６】
2009225833.tif 000008
【図７】
2009225833.tif 000009
【図８】
2009225833.tif 000010